(57)【要約】      （修正有）【課題】入力電圧が出力電圧よりも高くなっても、ＬＥＤ駆動電流が一定に制御され、ＬＥＤの輝度が一定に制御される。【解決手段】ＬＥＤ２１の閾値電圧のバラツキによって入力電圧Ｖｉｎが出力電圧Ｖｏｕｔよりも高くなってＬＥＤ駆動回路が昇圧動作を行えなくなると、ＬＥＤ駆動回路の動作が昇圧型スイッチングレギュレータ動作からボルテージレギュレータ動作に切り替わるので、ＬＥＤ駆動回路は正常に動作し、ＬＥＤ駆動回路は出力電圧を一定にすることができる。よって、ＬＥＤ駆動電流が一定に制御され、ＬＥＤの輝度が一定に制御される。【選択図】図１
2008177019.tif 000002
【特許請求の範囲】
【請求項１】
抵抗に直列接続されたＬＥＤを駆動するＬＥＤ駆動回路において、
出力電圧を出力する第一トランジスタと、
第二トランジスタと、
基準電圧を生成する基準電圧回路と、
分圧された前記出力電圧と前記基準電圧とを比較する第一誤差増幅器と、
前記第一誤差増幅器の比較結果に基づき、前記出力電圧が一定になるようパルスを生成するパルス生成回路と、
入力電圧の電圧値が前記出力電圧の電圧値未満である場合、前記パルスに基づき、前記第一トランジスタ及び前記第二トランジスタを制御する制御回路と、を有する昇圧型スイッチングレギュレータ部分と、
前記第一トランジスタと、
前記基準電圧回路と、
分圧された前記出力電圧と前記基準電圧とを比較する第二誤差増幅器と、
前記入力電圧の電圧値が前記出力電圧の電圧値以上である場合、前記第二誤差増幅器の比較結果に基づき、前記出力電圧が一定になるよう前記第一トランジスタを制御する前記制御回路と、を有するボルテージレギュレータ部分と、
を備えていることを特徴とするＬＥＤ駆動回路。
【請求項２】
前記制御回路は、前記パルスのデューティが１００％になっている時間が所定時間維持されると、前記入力電圧の電圧値が前記出力電圧の電圧値以上であると判定することを特徴とする請求項１記載のＬＥＤ駆動回路。
【請求項３】
前記制御回路は、前記抵抗に発生した電圧が前記基準電圧よりも所定値低くなると、前記入力電圧の電圧値が前記出力電圧の電圧値以上であると判定することを特徴とする請求項１記載のＬＥＤ駆動回路。
【発明の詳細な説明】
【技術分野】
【０００１】
本発明は、ＬＥＤを駆動するＬＥＤ駆動回路に関する。
【背景技術】
【０００２】
現在、携帯電話などのポータブル機器などにおいて、液晶ディスプレイが広く使用されている。この液晶ディスプレイにおいて、バックライト用発光素子として発光ダイオード（ＬＥＤ）が広く使用されている。
【０００３】
ＬＥＤは、ＬＥＤの閾値電圧（Ｖｆ）以上の電圧がアノード端子−カソード端子間に印加され、ＬＥＤを駆動するＬＥＤ駆動電流がアノード端子−カソード端子間に流れることにより、発光する。このＬＥＤ駆動電流の電流値により、ＬＥＤの輝度は変化する。
【０００４】
ここで、液晶ディスプレイの品質を良くするため、ＬＥＤ駆動電流を一定に制御し、ＬＥＤの輝度を一定にする必要がある。ＬＥＤ駆動電流を制御する技術として、昇圧型スイッチングレギュレータ方式でＬＥＤを駆動するＬＥＤ駆動回路が提供されている（例えば、特許文献１参照）。
【０００５】
次に、従来のＬＥＤ駆動回路について説明する。図７は、従来のＬＥＤ駆動回路を示す図である。          
【０００６】
ここで、ＬＥＤ７９を駆動するＬＥＤ駆動回路は、入力端子に入力電圧Ｖｉｎが印加され、出力端子から出力電圧Ｖｏｕｔを出力する。
【０００７】
発振回路７５は、所定の周波数の出力信号Ｖｏｓｃを出力している。出力電圧ＶｏｕｔがＬＥＤ７９及び抵抗８０に印加され、出力電圧Ｖｏｕｔに基づいたＬＥＤ駆動電流がＬＥＤ７９及び抵抗８０に流れる。このＬＥＤ駆動電流は、抵抗８０によって電圧Ｖｆｂに変換される。誤差増幅器７６は、電圧Ｖｆｂと基準電圧回路７７の基準電圧Ｖｒｅｆとを比較し、Ｖｆｂ＞Ｖｒｅｆの時、誤差増幅器７６の出力電圧Ｖｅｒｒ１を高くし、Ｖｆｂ＜Ｖｒｅｆの時、出力電圧Ｖｅｒｒ１を低くする。コンパレータ７４は、誤差増幅器７６の出力電圧Ｖｅｒｒ１と発振回路７５の出力信号Ｖｏｓｃとを比較し、Ｖｅｒｒ１＞Ｖｏｓｃの時、パルス電圧Ｖｐｒｅを“Ｌｏ”にし、Ｖｅｒｒ１＜Ｖｏｓｃの時、パルス電圧Ｖｐｒｅを“Ｈｉ”にする。
【０００８】
コンパレータ７４のパルス電圧Ｖｐｒｅが、制御回路７３に入力する。このコンパレータ７４のパルス電圧Ｖｐｒｅに基づき、制御回路７３は、トランジスタ７１及びトランジスタ７２が同時にオンしないように、出力電圧Ｖｂｕｆｎ及び出力電圧Ｖｂｕｆｐをトランジスタ７１及びトランジスタ７２のゲートにそれぞれ出力する。トランジスタ７１及びトランジスタ７２は、それぞれ出力電圧Ｖｂｕｆｎ及び出力電圧Ｖｂｕｆｐに基づき、交互にオンする。トランジスタ７２がオフであってトランジスタ７１がオンである時、入力電源７０からインダクタ８１に電流が流れ、インダクタ８１にエネルギが蓄積される。また、トランジスタ７２がオンであってトランジスタ７１がオフである時、インダクタ８１からトランジスタ７２を介してＬＥＤ７９及び抵抗８０に電流が流れ、一定の出力電圧Ｖｏｕｔが出力される。
【特許文献１】特開２００３−１５１７８４号公報
【発明の開示】
【発明が解決しようとする課題】
【０００９】
ところで、ＬＥＤ７９のＶｆは、駆動電流依存性、動作温度依存性、製造バラツキなどにより、バラツキを持っている。
【００１０】
従来の昇圧型スイッチングレギュレータ方式のＬＥＤ駆動回路において、Ｖｉｎ＜Ｖｏｕｔの時、昇圧動作を行えるので、正常に動作することができるが、ＬＥＤ７９のＶｆのバラツキにより、Ｖｉｎ＞Ｖｏｕｔになると、正常に動作することができない。よって、ＬＥＤ駆動回路は出力電圧Ｖｏｕｔを一定にすることができず、ＬＥＤ駆動電流が正常に制御されず、ＬＥＤ７９の輝度が一定に制御されない。
【００１１】
本発明は、上記課題に鑑みてなされ、入力電圧が出力電圧よりも高くなっても、ＬＥＤ２１の輝度を一定に制御することができるＬＥＤ駆動回路を提供する。
【課題を解決するための手段】
【００１２】
本発明は、上記課題を解決するため、抵抗に直列接続されたＬＥＤを駆動するＬＥＤ駆動回路において、出力電圧を出力する第一トランジスタと、第二トランジスタと、基準電圧を生成する基準電圧回路と、分圧された前記出力電圧と前記基準電圧とを比較する第一誤差増幅器と、前記第一誤差増幅器の比較結果に基づき、前記出力電圧が一定になるようパルスを生成するパルス生成回路と、入力電圧の電圧値が前記出力電圧の電圧値未満である場合、前記パルスに基づき、前記第一トランジスタ及び前記第二トランジスタを制御する制御回路と、を有する昇圧型スイッチングレギュレータ部分と、前記第一トランジスタと、前記基準電圧回路と、分圧された前記出力電圧と前記基準電圧とを比較する第二誤差増幅器と、前記入力電圧の電圧値が前記出力電圧の電圧値以上である場合、前記第二誤差増幅器の比較結果に基づき、前記出力電圧が一定になるよう前記第一トランジスタを制御する前記制御回路と、を有するボルテージレギュレータ部分と、を備えていることを特徴とするＬＥＤ駆動回路を提供する。
【発明の効果】
【００１３】
本発明では、入力電圧が出力電圧よりも高くなってＬＥＤ駆動回路が昇圧動作を行えなくなっても、ＬＥＤ駆動回路の動作が昇圧型スイッチングレギュレータ動作からボルテージレギュレータ動作に切り替わるので、ＬＥＤ駆動回路は正常に動作し、ＬＥＤ駆動回路は出力電圧を一定にすることができる。よって、ＬＥＤ駆動電流が一定に制御され、ＬＥＤの輝度が一定に制御される。
【発明を実施するための最良の形態】
【００１４】
［第一実施形態］
まず、第一実施形態のＬＥＤ駆動回路の構成について説明する。図１は、第一実施形態のＬＥＤ駆動回路を示す図である。
【００１５】
ＬＥＤ駆動回路は、入力電源１０及びＤＣＤＣコンバータを備えている。ＤＣＤＣコンバータは、ＮＭＯＳのトランジスタ１１、ＰＭＯＳのトランジスタ１２、インダクタ１３、コンパレータ１５、発振回路１６、誤差増幅器１７、基準電圧回路１８、コンデンサ１９、誤差増幅器３２及び制御回路３３を備えている。負荷回路は、ＬＥＤ２１及び抵抗２２を備えている。
【００１６】
ＤＣＤＣコンバータは、入力電源１０に接続され、負荷回路に接続されている。
【００１７】
インダクタ１３は、一端が入力端子に接続され、他端がトランジスタ１１及びトランジスタ１２のドレインに接続されている。トランジスタ１１のソースは、グランドに接続されている。トランジスタ１２のソースは、出力端子に接続されている。コンデンサ１９は、一端が出力端子に接続され、他端がグランドに接続されている。ＬＥＤ２１は、一端が出力端子に接続され、他端（電圧Ｖｆｂ）が抵抗２２に接続されている。抵抗２２は、一端がグランドに接続され、他端（電圧Ｖｆｂ）がＬＥＤ２１に接続されている。誤差増幅器１７及び誤差増幅器３２は、反転入力端子が基準電圧回路１８の出力端子（基準電圧Ｖｒｅｆ）に接続され、非反転入力端子がＬＥＤ２１の他端（電圧Ｖｆｂ）に接続されている。コンパレータ１５は、反転入力端子が誤差増幅器１７の出力端子（出力電圧Ｖｅｒｒ１）に接続され、非反転入力端子が発振回路１６の出力端子（出力電圧Ｖｏｓｃ）に接続されている。制御回路３３は、第一入力端子がコンパレータ１５の出力端子（パルス電圧Ｖｐｒｅ）に接続され、第二入力端子が誤差増幅器３２の出力端子（出力電圧Ｖｅｒｒ２）に接続され、第一出力端子（出力電圧Ｖｂｕｆｐ）がトランジスタ１１のゲートに接続され、第二出力端子（電圧Ｖｂｕｆｎ）がトランジスタ１２のゲートに接続されている。
【００１８】
なお、基準電圧Ｖｒｅｆは、ＬＥＤ２１に対して最適なＬＥＤ駆動電流の電流値と抵抗２２の抵抗値とを乗算した値になっている。
【００１９】
次に、第一実施形態の制御回路３３の構成について説明する。図２は、第一実施形態の制御回路を示す図である。
【００２０】
制御回路３３は、１００％デューティ検出回路５１、スイッチ５２、スイッチ５３及びバッファ５４を備えている。
【００２１】
制御回路３３は、第一入力端子にコンパレータ１５のパルス電圧Ｖｐｒｅが印加され、第二入力端子に誤差増幅器３２の出力電圧Ｖｅｒｒ２が印加され、第一出力端子から出力電圧Ｖｂｕｆｐを出力し、第二出力端子から電圧Ｖｂｕｆｎを出力している。
【００２２】
第一入力端子は、スイッチ５２を介してバッファ５４に接続され、また、１００％デューティ検出回路５１に接続されている。第二入力端子は、スイッチ５３を介して第一出力端子に接続されている。１００％デューティ検出回路５１は、スイッチ５２、スイッチ５３及びバッファ５４に接続されている。バッファ５４は、第一出力端子及び第二出力端子に接続されている。
【００２３】
次に、第一実施形態のＬＥＤ駆動回路の動作について説明する。
【００２４】
ここで、ＬＥＤ２１を駆動するＬＥＤ駆動回路は、入力端子に入力電圧Ｖｉｎが印加され、出力端子から出力電圧Ｖｏｕｔを出力する。
【００２５】
また、ＬＥＤ駆動回路のＤＣＤＣコンバータ内部における、トランジスタ１１、トランジスタ１２、インダクタ１３、コンパレータ１５、発振回路１６、誤差増幅器１７、基準電圧回路１８、コンデンサ１９及び制御回路３３は、昇圧型スイッチングレギュレータ部分として機能する。また、トランジスタ１２、基準電圧回路１８、コンデンサ１９、誤差増幅器３２及び制御回路３３は、ボルテージレギュレータ部分として機能する。
【００２６】
発振回路１６は、所定の周波数の出力信号Ｖｏｓｃを出力している。出力電圧Ｖｏｕｔが負荷回路に印加され、出力電圧Ｖｏｕｔに基づいたＬＥＤ駆動電流が負荷回路に流れる。このＬＥＤ駆動電流は、抵抗２２によって電圧Ｖｆｂに変換される。誤差増幅器１７は、出力電圧Ｖｏｕｔが分圧された電圧Ｖｆｂと基準電圧回路１８が生成した基準電圧Ｖｒｅｆとを比較し、Ｖｆｂ＞Ｖｒｅｆの時、誤差増幅器１７の出力電圧Ｖｅｒｒ１を高くし、Ｖｆｂ＜Ｖｒｅｆの時、出力電圧Ｖｅｒｒ１を低くする。誤差増幅器３２の出力電圧Ｖｅｒｒ２も同様である。コンパレータ１５は、誤差増幅器１７の出力電圧Ｖｅｒｒ１と発振回路１６の出力信号Ｖｏｓｃとを比較し、Ｖｅｒｒ１＞Ｖｏｓｃの時、パルス電圧Ｖｐｒｅを“Ｌｏ”にし、Ｖｅｒｒ１＜Ｖｏｓｃの時、パルス電圧Ｖｐｒｅを“Ｈｉ”にし、パルスを生成する。
【００２７】
［Ｖｉｎ＜Ｖｏｕｔの時］コンパレータ１５のパルス電圧Ｖｐｒｅが“Ｈｉ”になっている状態が常に維持されないので、１００％デューティ検出回路５１は、入力電圧Ｖｉｎの電圧値が出力電圧Ｖｏｕｔの電圧値未満であると判定し、スイッチ５２をオンし、スイッチ５３をオフする。よって、コンパレータ１５のパルス電圧Ｖｐｒｅが、スイッチ５２を介して制御回路３３のバッファ５４に入力する。このコンパレータ１５のパルス電圧Ｖｐｒｅに基づき、バッファ５４は、トランジスタ１１及びトランジスタ１２が同時にオンしないように、出力電圧Ｖｂｕｆｎ及び出力電圧Ｖｂｕｆｐをトランジスタ１１及びトランジスタ１２のゲートにそれぞれ出力する。トランジスタ１１及びトランジスタ１２は、それぞれ出力電圧Ｖｂｕｆｎ及び出力電圧Ｖｂｕｆｐに基づき、交互にオンする。トランジスタ１２がオフであってトランジスタ１１がオンである時、入力電源１０からインダクタ１３に電流が流れ、インダクタ１３にエネルギが蓄積される。また、トランジスタ１２がオンであってトランジスタ１１がオフである時、インダクタ１３からトランジスタ１２を介して負荷回路に電流が流れ、トランジスタ１２が一定の出力電圧Ｖｏｕｔを出力する。出力電圧Ｖｏｕｔは、コンデンサ１９によって平滑化される。この出力電圧Ｖｏｕｔは、電圧ＶｆｂにＬＥＤ２１の閾値電圧Ｖｆを加算した電圧になっている。この出力電圧Ｖｏｕｔにより、ＬＥＤ駆動回路は、ＬＥＤ２１を駆動する。このようなＬＥＤ駆動回路の動作を、昇圧型スイッチングレギュレータ動作と呼ぶ。
【００２８】
ここで、制御回路３３の１００％デューティ検出回路５１は、パルス電圧Ｖｐｒｅのデューティを監視している。１００％デューティ検出回路５１は、監視結果により、ＬＥＤ駆動回路の動作を昇圧型スイッチングレギュレータ動作にするかボルテージレギュレータ動作にするかを決定している。
【００２９】
［Ｖｉｎ≧Ｖｏｕｔの時］コンパレータ１５のパルス電圧Ｖｐｒｅが“Ｈｉ”になっている時間が所定時間（例えば、１ｍｓｅｃ）維持されると、つまり、パルス電圧Ｖｐｒｅのデューティが１００％になっている時間が所定時間維持されると、１００％デューティ検出回路５１は、入力電圧Ｖｉｎの電圧値が出力電圧Ｖｏｕｔの電圧値以上であると判定し、スイッチ５２をオフし、スイッチ５３をオンする。よって、誤差増幅器３２の出力電圧Ｖｅｒｒ２が、スイッチ５３を介して出力電圧Ｖｂｕｆｐとしてトランジスタ１２に出力される。また、１００％デューティ検出回路５１は、バッファ５４を制御し、トランジスタ１１をオフする。出力電圧Ｖｏｕｔが高くなり、電圧Ｖｆｂが高くなり、誤差増幅器３２の出力電圧Ｖｅｒｒ２（制御回路３３の出力電圧Ｖｂｕｆｐ）が高くなると、トランジスタ１２のゲート・ソース間電圧が低くなり、トランジスタ１２のオン抵抗が高くなり、ＬＥＤ駆動回路は出力電圧Ｖｏｕｔを低くして出力電圧Ｖｏｕｔを一定にし、トランジスタ１２が出力電圧Ｖｏｕｔを出力する。また、誤差増幅器３２の出力電圧Ｖｅｒｒ２が低くなると、ＬＥＤ駆動回路は出力電圧Ｖｏｕｔを高くして出力電圧Ｖｏｕｔを一定にし、トランジスタ１２が出力電圧Ｖｏｕｔを出力する。出力電圧Ｖｏｕｔは、コンデンサ１９によって平滑化される。この出力電圧Ｖｏｕｔにより、ＬＥＤ駆動回路は、ＬＥＤ２１を駆動する。このようなＬＥＤ駆動回路の動作を、ボルテージレギュレータ動作と呼ぶ。
【００３０】
つまり、制御回路３３は、Ｖｉｎ＜Ｖｏｕｔの時、ＬＥＤ駆動回路の動作を昇圧型スイッチングレギュレータ動作とし、Ｖｉｎ≧Ｖｏｕｔの時、ＬＥＤ駆動回路の動作をボルテージレギュレータ動作としている。
【００３１】
［第二実施形態］
次に、第二実施形態のＬＥＤ駆動回路の構成について説明する。図３は、第二実施形態のＬＥＤ駆動回路を示す図である。
【００３２】
第二実施形態のＬＥＤ駆動回路は、第一実施形態のＬＥＤ駆動回路と比較し、制御回路３３が制御回路３４に変更している。また、その制御回路３４は、入力端子（入力電圧Ｖｉｎ）及び出力端子（出力電圧Ｖｏｕｔ）に接続されている。
【００３３】
次に、第二実施形態の制御回路３４の構成について説明する。図４は、第二実施形態の制御回路を示す図である。
【００３４】
第二実施形態の制御回路３４は、第一実施形態の制御回路３３と比較し、１００％デューティ検出回路５１が電圧検出回路５５に変更している。また、その電圧検出回路５５は、入力端子（入力電圧Ｖｉｎ）及び出力端子（出力電圧Ｖｏｕｔ）に接続されている。
【００３５】
次に、第二実施形態のＬＥＤ駆動回路の動作について説明する。
【００３６】
発振回路１６は、所定の周波数の出力信号Ｖｏｓｃを出力している。出力電圧Ｖｏｕｔが負荷回路に印加され、出力電圧Ｖｏｕｔに基づいたＬＥＤ駆動電流が負荷回路に流れる。このＬＥＤ駆動電流は、抵抗２２によって電圧Ｖｆｂに変換される。誤差増幅器１７は、出力電圧Ｖｏｕｔが分圧された電圧Ｖｆｂと基準電圧回路１８が生成した基準電圧Ｖｒｅｆとを比較し、Ｖｆｂ＞Ｖｒｅｆの時、誤差増幅器１７の出力電圧Ｖｅｒｒ１を高くし、Ｖｆｂ＜Ｖｒｅｆの時、出力電圧Ｖｅｒｒ１を低くする。誤差増幅器３２の出力電圧Ｖｅｒｒ２も同様である。コンパレータ１５は、誤差増幅器１７の出力電圧Ｖｅｒｒ１と発振回路１６の出力信号Ｖｏｓｃとを比較し、Ｖｅｒｒ１＞Ｖｏｓｃの時、パルス電圧Ｖｐｒｅを“Ｌｏ”にし、Ｖｅｒｒ１＜Ｖｏｓｃの時、パルス電圧Ｖｐｒｅを“Ｈｉ”にし、パルスを生成する。
【００３７】
ここで、制御回路３４の電圧検出回路５５は、入力電圧Ｖｉｎと出力電圧Ｖｏｕｔとを比較している。電圧検出回路５５は、比較結果により、ＬＥＤ駆動回路の動作を昇圧型スイッチングレギュレータ動作にするかボルテージレギュレータ動作にするかを決定している。
【００３８】
［Ｖｉｎ＜Ｖｏｕｔの時］電圧検出回路５５は、入力電圧Ｖｉｎの電圧値が出力電圧Ｖｏｕｔの電圧値未満であると判定し、スイッチ５２をオンし、スイッチ５３をオフする。よって、ＬＥＤ駆動回路は、上述の第一実施形態のように昇圧型スイッチングレギュレータ動作を行う。
【００３９】
［Ｖｉｎ≧Ｖｏｕｔの時］電圧検出回路５５は、入力電圧Ｖｉｎの電圧値が出力電圧Ｖｏｕｔの電圧値以上であると判定し、スイッチ５２をオフし、スイッチ５２をオンする。よって、ＬＥＤ駆動回路は、上述の第一実施形態のようにボルテージレギュレータ動作を行う。
【００４０】
［第三実施形態］
次に、第三実施形態のＬＥＤ駆動回路の構成について説明する。図５は、第三実施形態のＬＥＤ駆動回路を示す図である。
【００４１】
第三実施形態のＬＥＤ駆動回路は、第一実施形態のＬＥＤ駆動回路と比較し、制御回路３３が制御回路３５に変更している。また、その制御回路３５は、ＬＥＤ２１の他端（電圧Ｖｆｂ）及び基準電圧回路１８の出力端子（基準電圧Ｖｒｅｆ）に接続されている。
【００４２】
次に、第三実施形態の制御回路３５の構成について説明する。図６は、第三実施形態の制御回路を示す図である。
【００４３】
第三実施形態の制御回路３５は、第一実施形態の制御回路３３と比較し、１００％デューティ検出回路５１が電圧検出回路５６に変更している。また、その電圧検出回路５６は、ＬＥＤ２１の他端（電圧Ｖｆｂ）及び基準電圧回路１８の出力端子（基準電圧Ｖｒｅｆ）に接続されている。
【００４４】
次に、第三実施形態のＬＥＤ駆動回路の動作について説明する。
【００４５】
発振回路１６は、所定の周波数の出力信号Ｖｏｓｃを出力している。出力電圧Ｖｏｕｔが負荷回路に印加され、出力電圧Ｖｏｕｔに基づいたＬＥＤ駆動電流が負荷回路に流れる。このＬＥＤ駆動電流は、抵抗２２によって電圧Ｖｆｂに変換される。誤差増幅器１７は、出力電圧Ｖｏｕｔが分圧された電圧Ｖｆｂと基準電圧回路１８が生成した基準電圧Ｖｒｅｆとを比較し、Ｖｆｂ＞Ｖｒｅｆの時、誤差増幅器１７の出力電圧Ｖｅｒｒ１を高くし、Ｖｆｂ＜Ｖｒｅｆの時、出力電圧Ｖｅｒｒ１を低くする。誤差増幅器３２の出力電圧Ｖｅｒｒ２も同様である。コンパレータ１５は、誤差増幅器１７の出力電圧Ｖｅｒｒ１と発振回路１６の出力信号Ｖｏｓｃとを比較し、Ｖｅｒｒ１＞Ｖｏｓｃの時、パルス電圧Ｖｐｒｅを“Ｌｏ”にし、Ｖｅｒｒ１＜Ｖｏｓｃの時、パルス電圧Ｖｐｒｅを“Ｈｉ”にし、パルスを生成する。
【００４６】
ここで、制御回路３５の電圧検出回路５６は、電圧Ｖｆｂと基準電圧Ｖｒｅｆとを比較している。電圧検出回路５６は、比較結果により、ＬＥＤ駆動回路の動作を昇圧型スイッチングレギュレータ動作にするかボルテージレギュレータ動作にするかを決定している。
【００４７】
［Ｖｒｅｆ≒Ｖｆｂ及びＶｒｅｆ＜Ｖｆｂの時］抵抗２２に発生した電圧Ｖｆｂが基準電圧Ｖｒｅｆよりも所定値高くなると、電圧検出回路５６は、入力電圧Ｖｉｎの電圧値が出力電圧Ｖｏｕｔの電圧値未満であると判定し、スイッチ５２をオンし、スイッチ５３をオフする。よって、ＬＥＤ駆動回路は、上述の第一実施形態のように昇圧型スイッチングレギュレータ動作を行う。
【００４８】
［Ｖｒｅｆ≒Ｖｆｂの時でなくてＶｒｅｆ＞Ｖｆｂの時］抵抗２２に発生した電圧Ｖｆｂが基準電圧Ｖｒｅｆよりも所定値低くなると、電圧検出回路５６は、入力電圧Ｖｉｎの電圧値が出力電圧Ｖｏｕｔの電圧値以上であると判定し、スイッチ５２をオフし、スイッチ５２をオンする。よって、ＬＥＤ駆動回路は、上述の第一実施形態のようにボルテージレギュレータ動作を行う。
【００４９】
このようにすると、ＬＥＤ２１の閾値電圧Ｖｆのバラツキによって入力電圧Ｖｉｎが出力電圧Ｖｏｕｔよりも高くなってＬＥＤ駆動回路が昇圧動作を行えなくなっても、ＬＥＤ駆動回路の動作が昇圧型スイッチングレギュレータ動作からボルテージレギュレータ動作に切り替わるので、ＬＥＤ駆動回路は正常に動作し、ＬＥＤ駆動回路は出力電圧Ｖｏｕｔを一定にすることができる。よって、ＬＥＤ駆動電流が一定に制御され、ＬＥＤ２１の輝度が一定に制御される。また、入力電圧Ｖｉｎが広い範囲で変動しても、ＬＥＤ駆動回路は出力電圧Ｖｏｕｔを一定にすることができる。
【図面の簡単な説明】
【００５０】
【図１】第一実施形態のＬＥＤ駆動回路を示す図である。
【図２】第一実施形態の制御回路を示す図である。
【図３】第二実施形態のＬＥＤ駆動回路を示す図である。
【図４】第二実施形態の制御回路を示す図である。
【図５】第三実施形態のＬＥＤ駆動回路を示す図である。
【図６】第三実施形態の制御回路を示す図である。
【図７】従来のＬＥＤ駆動回路を示す図である。
【符号の説明】
【００５１】
１０  入力電源              １１  トランジスタ            １２  トランジスタ
１３  インダクタ            １５  コンパレータ            １６  発振回路
１７、３２  誤差増幅器      １８  基準電圧回路            １９  コンデンサ
２１  ＬＥＤ                ２２  抵抗                    ３３  制御回路
【図１】
2008177019.tif 000003
【図２】
2008177019.tif 000004
【図３】
2008177019.tif 000005
【図４】
2008177019.tif 000006
【図５】
2008177019.tif 000007
【図６】
2008177019.tif 000008
【図７】
2008177019.tif 000009